(57)【特許請求の範囲】
【請求項１】
装置利用者を撮影するための撮像手段と、
表示手段と、
所定の金額の貨幣が投入されると使用許可信号を発生するコインメカニズムと、
前記使用許可信号の検出に基づいて前記装置利用者に対するポーズの案内メッセージを前記表示手段に表示させる表示制御手段と、
合成用の画像を予め記憶しておく記憶手段と、
前記表示制御手段により案内メッセージを表示した後、前記撮像手段の撮影画像と、前記記憶手段に記憶された画像とを合成する画像処理手段と、
当該合成された画像を可視出力する出力手段と
を具えたことを特徴とする娯楽用画像合成装置。
【請求項２】
請求項１に記載の娯楽用画像合成装置において、装置利用者が操作可能な指示手段を具え、前記画像処理手段は、前記指示手段の入力に基づいて前記撮影手段からの撮影画像を合成することを特徴とする娯楽用画像合成装置。
【請求項３】
請求項１に記載の娯楽用画像合成装置において、前記出力手段はプリンタであることを特徴とする娯楽用画像合成装置。
【発明の詳細な説明】
【０００１】
【発明の属する技術分野】
本発明は、娯楽目的で、人間の画像と予め用意した画像を合成する娯楽用画像合成装置に関する。
【０００２】
【従来の技術】
従来、貨幣を投入すると貨幣投入者を撮像し、その撮像画像と、予め用意してある画像とを合成して印刷する娯楽用画像合成装置が知られている(特開平１０−１１７３４４号、特開平１０−３１５６６４号公報)。
【０００３】
【発明が解決しようとする課題】
しかしながら、従来この種の装置では、娯楽者(貨幣投入者)が自己と合成される画像の内容が予め判明しているので、娯楽性に難があった。
【０００４】
そこで、本発明の目的は、娯楽性をさらに高めることができる娯楽用画像合成装置を提供することにある。
【０００５】
【課題を解決するための手段】
このような目的を達成するために、請求項１の発明は、
装置利用者を撮影するための撮像手段と、
表示手段と、
所定の金額の貨幣が投入されると使用許可信号を発生するコインメカニズムと、
前記使用許可信号の検出に基づいて前記装置利用者に対するポーズの案内メッセージを前記表示手段に表示させる表示制御手段と、
合成用の画像を予め記憶しておく記憶手段と、
前記表示制御手段により案内メッセージを表示した後、前記撮像手段の撮影画像と、前記記憶手段に記憶された画像とを合成する画像処理手段と、
当該合成された画像を可視出力する出力手段と
を具えたことを特徴とする。
【０００６】
請求項２の発明は、請求項１に記載の娯楽用画像合成装置において、装置利用者が操作可能な指示手段を具え、前記画像処理手段は、前記指示手段の入力に基づいて前記撮影手段からの撮影画像を合成することを特徴とする。
【０００７】
請求項３の発明は、請求項１に記載の娯楽用画像合成装置において、前記出力手段はプリンタであることを特徴とする。
【０００８】
【発明の実施の形態】
以下、図面を参照して本発明の実施形態を詳細に説明する。
【０００９】
図１は本発明実施形態のシステム構成を示す。図１において、ＣＰＵ１０、システムメモリ１１．撮像装置１２、ディスプレイ１３、画像記憶装置１５、プリンタ１６およびコインメカニズム１７がバス１８に接続されている。
【００１０】
なお、上記回路の中には、インタフェースを必要とするものがあるが、インタフェース自体は周知の回路であるので、説明の便宜上、図１では省略している。
【００１１】
ＣＰＵ１０はシステムメモリ１１内のプログラム(図３)にしたがって、本発明に係る画像合成処理を行う。システムメモリ１１は、装置全体を制御するためのシステムプログラムと、上記図３のプログラムを記憶している。撮像装置１２にはＣＣＤのようなビデオカメラを使用することができる。ディスプレイ１３は撮像装置１２により撮像された画像および後述の合成画像を表示する。
【００１２】
スピーカ１４は、効果音を再生出力する。画像記憶装置１５は、撮像装置１２により撮像された画像と合成すべき画像を記憶する。また、画像に先立って利用者に提示する案内メッセージおよび効果音を発生するための音響データをも記憶する。プリンタ１６は画像の合成結果を印刷出力する。コインメカニズム１７は所定の金額の貨幣が投入されたときに使用許可信号を発生する。
【００１３】
このようなシステム構成を有する娯楽用画像合成装置の外観の一例を図２に示す。ボックスの壁などに、撮像装置１２およびディスプレイ１３が設置され、利用者は貨幣投入口１０１から貨幣を投入する。画像合成結果１０２は装置の下部から印刷結果の形態で排出される。
【００１４】
図１のシステムの動作を図３のフローチャートを参照して説明する。電源が投入されている間、図３に示すプログラムがシステムメモリ１１から読み出されＣＰＵ１０により実行される。
【００１５】
ＣＰＵ１０は撮像装置１２の１画面分の撮像結果を取り込み、ディスプレイ１３に表示する(ステップＳ２０)。次にコインメカニズム１７において、使用許可信号が発生されているか否かを判定する（ステップＳ２０）。装置の利用者がいない場合には、コインメカニズム１７は使用許可信号を発生しないので、判定結果は否となり、手順は、ステップＳ１０に戻る。以下、装置利用者が所定金額の貨幣を投入するまで、ステップＳ１０〜Ｓ２０のループ処理が繰り返される。これにより、人間が図２の撮像装置１２の前を通りかかると、その人間の画像がディスプレイ１３に映し出される。
【００１６】
装置利用者が所定金額の貨幣を貨幣投入口１０１から投入すると、コインメカニズム１７が一定時間、使用許可信号を発生する。この信号の発生をステップＳ２０で検出すると、ＣＰＵ１０は、手順を、ステップＳ３０に進め、図４に示すように、装置利用者への案内メッセージ２００を表示すると共に、一定間隔（人間では判別できない非常に短い間隔）で、撮像装置１２から入力した画像２０１をディスプレイ１３に表示する(ステップＳ３０)。
【００１７】
この表示を見て、装置利用者は自分でポーズを撮像装置１２の前でとると、そのポーズがディスプレイ１３に表示される。
【００１８】
ＣＰＵ１０は時間を計時し、一定時間が経過したことを検出すると、ＣＰＵ１０は画像記憶装置１５に記憶された効果音用の音響データに基づいて、スピーカ１４から効果音を再生出力させる(ステップＳ４０)。
【００１９】
ＣＰＵ１０はこの時点直後の撮影画像を撮像装置１２から入力すると、画像記憶装置１５内に記憶されている合成用の画像と、入力の画像とをシステムメモリ１１上で合成し、ディスプレイ１３に表示する(図５参照)。また、印刷のためにシステムメモリ１１に一時記憶させる（ステップＳ６０）。図５において、画像３０１が撮像装置１２から入力された画像であり、画像３０２が画像記憶装置１５に記憶されている画像である。
【００２０】
本実施形態では貨幣の投入により２枚の撮影、印刷が許容されている。したがって、手順は、ステップＳ７０からＳ３０へと進み、ＣＰＵ１０は前とは異なる案内メッセージを画像記憶装置１５から読み出して表示し、効果音を発生し、その時点の撮影画像と、画像記憶装置１５内の異なる合成用画像とを合成する(ステップＳ３０〜Ｓ７０)。
【００２１】
ＣＰＵ１０は第１回目に合成した画像および第２回目に合成した画像をシステムメモリ１１から読み出して、順次にプリンタ１６に印刷（可視出力）させる（ステップＳ８０）。
【００２２】
以上で、有料での画像合成・印刷サービス処理を終了し、手順はステップＳ１０〜Ｓ２０の無料の撮影画像表示処理に戻り、次の装置利用者の貨幣の投入を待つ。
【００２３】
以上、説明したように、本実施形態では、貨幣を投入する前ではディスプレイ１３に表示される画像は、撮像装置１２の前にいる人物の画像だけであり、どのような画像と、人物画像が合成されるかは分からない。また、効果音により、撮影される人物の意外な表情をも撮影することが可能となる。
【００２４】
上述の実施形態の他に次の形態を実施できる。
【００２５】
１）上述の実施形態では、撮影した人物と合成する合成用の画像は予め決定されているが、画像の種類、テーマ等を示唆するような案内を音声、表示で行って、利用者が選択するようにシステムを構成することもできる。この場合は、画像選択用のボタンをバス１８に接続し、ボタンに対応する合成用の画像を画像合成に使用する。
【００２６】
２）上述の実施形態では効果音を発生時点の撮影画像を入手するために、わざと、撮像装置１２の利用者の撮影タイミングがわからないようにしている。合成する画像の内容によっては、装置利用者からの指示に応じて、撮影タイミングを決定してもよい。この場合には、指示ボタンをバス１８に接続し、ＣＰＵ１０によりそのボタンの操作を検出した時点で撮像装置１２から合成用の場像を入力する。
【００２７】
３）上述の実施形態では可視出力手段としてプリンタを使用したが、合成画像をメモリカードのような携帯用記録媒体に記憶して、パソコンで表示や印刷してもよいし、娯楽用設備に通信装置を持たせ、Ｅメールの添付機能を使用して、指定されたＥメールアドレスへ送信してもよい。この場合には、携帯用記録媒体の読取装置を装置に設け、また、Ｅメールアドレス入力用のキーボードも装置に設ける。
【００２８】
【発明の効果】
以上、説明したように、請求項１の発明によれば、装置利用者は、自己の画像と合成される画像の内容を知らずに、案内メッセージにより指示されるポーズを行うので、可視出力されるまでの間、何が可視出力されるかを興味を持ちながら待つことができる。
【００２９】
請求項２の発明によれば、画像合成の指示があるまでは、撮像装置の前に立った、人物の画像を表示する機能を提供することで、装置に対する関心を装置利用者に持たせることができる。
【００３０】
請求項３の発明によれば、合成画像を印刷することで、装置利用者は、合成画像を家などに持ち帰ることができる。
【図面の簡単な説明】
【図１】本発明実施液体のシステム構成を示すブロック図である。
【図２】本発明実施形態の外観を示す斜視図である。
【図３】ＣＰＵ１０の処理内容を示すフローチャートである。
【図４】案内メッセージの表示画面を示す説明図である。
【図５】合成画像の一例を示す説明図である。
【符号の説明】
１０  ＣＰＵ
１１  システムメモリ
１２  撮像装置
１３  ディスプレイ
１４  スピーカ
１５  画像記憶装置
１６  プリンタ
１７  コインメカニズム
１８  バス
【図１】
0004263309.tif 000002
【図２】
0004263309.tif 000003
【図３】
0004263309.tif 000004
【図４】
0004263309.tif 000005
【図５】
0004263309.tif 000006